(57)【要約】【課題】コイル装置の損傷による不具合を抑制しつつ、コイル装置を被固定部材に固定する。【解決手段】コイル装置２０は、コイル２１と、磁性体のコア２５と、絶縁性の樹脂からなり、コイル２１とコア２５との相対的位置を保持する保持部材４０と、を備え、保持部材４０は、放熱部材１１に対して固定する固定部５０を備える。【選択図】図１
2017123415.tif 000002
【特許請求の範囲】
【請求項１】
コイルと、
磁性体のコアと、
絶縁性の樹脂からなり、前記コイルと前記コアとの相対的位置を保持する保持部材と、を備え、
前記保持部材は、被固定部材に対して固定する固定部を備える、コイル装置。
【請求項２】
前記コアは、互いに対向配置された一対の分割部材からなり、各前記分割部材は、前記コイルの内周の内側に挿通される柱部と、前記コイルの外周に沿うように配される外壁部と、前記柱部と前記外壁部とを連結する連結壁部とを備え、
前記保持部材は、少なくとも一方の前記分割部材における前記外壁部が嵌め入れられる嵌入部を備え、前記固定部は、前記嵌入部と一体的に形成されている請求項１に記載のコイル装置。
【請求項３】
前記一対の分割部材において対向する前記外壁部間は、接着剤で接着されており、
前記嵌入部には、前記外壁部間からはみ出た接着剤を受ける受け部が設けられている請求項２に記載のコイル装置。
【請求項４】
前記コイルは、平角線の短辺側を内径面とするように巻回されたエッジワイズコイルであって、相手側端子と接続可能な端子部を有し、
前記固定部は、前記コアに対して前記端子部が導出される側に設けられている請求項１ないし請求項３のいずれか一項に記載のコイル装置。
【請求項５】
請求項１ないし請求項４のいずれか一項に記載のコイル装置と、前記コイル装置の熱を放熱する放熱部材と、を備えた電気接続箱であって、
前記被固定部材は、前記放熱部材である、電気接続箱。
【請求項６】
請求項１ないし請求項４のいずれか一項に記載のコイル装置と、前記コイル装置の熱を放熱する放熱部材と、を備えた電気接続箱であって、前記被固定部材は、前記放熱部材の面に対して前記固定部を所定の高さに固定可能なボス部を有する、電気接続箱。
【発明の詳細な説明】
【技術分野】
【０００１】
本明細書に記載される技術は、コイル装置に関する。
【背景技術】
【０００２】
自動車等の車両には、ＤＣ−ＤＣコンバータ等の電気接続箱等が搭載されており、電気接続箱等の回路部品としてコイルが用いられている。特許文献１の電気接続箱は、合成樹脂製の枠状部材が放熱部材の外周部に被せられており、この枠状部材には、回路基板が収容されるとともに、枠状部材の区画された部分にチョークコイルが配されている。チョークコイルは、枠状部材に固定された板バネの弾性力で磁性体のコアを放熱部材側に押さえつけて固定している。
【先行技術文献】
【特許文献】
【０００３】
【特許文献１】特開２０１４−１０３７４７号公報
【発明の概要】
【発明が解決しようとする課題】
【０００４】
ところで、チョークコイルを固定するための板バネは、一般に金属で形成されているため、板バネが磁性体のコアを弾性力で押さえつける構成とすると、共に硬い部材である金属と磁性体とが接触する。このとき、車両等に振動が生じると金属の板バネと磁性体のコアとが擦れ合い、コアの表面が損傷し、コアの削り屑等による不具合の発生が懸念される。特に、電気接続箱が車両に縦置きされる場合には、板バネに接触するコアの面が重力と同じ上下方向となるため、車両の振動により板バネとコアとの擦れが大きくなり、コアの表面が損傷し、不具合の発生の発生が懸念される。
【０００５】
本明細書に記載された技術は上記のような事情に基づいて完成されたものであって、コイル装置の損傷による不具合を抑制しつつ、コイル装置を被固定部材に固定することを目的とする。
【課題を解決するための手段】
【０００６】
本明細書に記載されたコイル装置は、コイルと、磁性体のコアと、絶縁性の樹脂からなり、前記コイルと前記コアとの相対的位置を保持する保持部材と、を備え、前記保持部材は、被固定部材に対して固定する固定部を備える。
本構成によれば、保持部材によりコイルとコアとの相対的位置が保持されるとともに、保持部材の固定部を被固定部材に固定することができる。また、保持部材は樹脂からなり、金属等と比較してコアとの摩擦を軽減することができるため、コアの表面の損傷による不具合を抑制することができる。よって、コイル装置の損傷による不具合を抑制しつつ、コイル装置を被固定部材に固定することができる。
【０００７】
本明細書に記載された技術の実施態様としては以下の態様が好ましい。
前記コアは、互いに対向配置された一対の分割部材からなり、各前記分割部材は、前記コイルの内周の内側に挿通される柱部と、前記コイルの外周に沿うように配される外壁部と、前記柱部と前記外壁部とを連結する連結壁部とを備え、前記保持部材は、少なくとも一方の前記分割部材における前記外壁部が嵌め入れられる嵌入部を備え、前記固定部は、前記嵌入部と一体的に形成されている。
このようにすれば、嵌入部により固定部の強度を高めることが可能になる。
【０００８】
前記一対の分割部材において対向する前記外壁部間は、接着剤で接着されており、前記嵌入部には、前記外壁部間からはみ出た接着剤を受ける受け部が設けられている。
このようにすれば、外壁部間からはみ出た接着剤を受け部が受けるため、接着剤の塗布量の決定が容易になる。
【０００９】
前記コイルは、平角線の短辺側を内径面とするように巻回されたエッジワイズコイルであって、相手側端子と接続可能な端子部を有し、前記固定部は、前記コアに対して前記端子部が導出される側に設けられている。
このようにすれば、端子部が導出される側に固定部を配置することで、端子部と固定部を纏めて配置することができるため、被固定部材上におけるコイル装置が占有する領域を小さくすることができる。
【００１０】
前記コイル装置と、前記コイル装置の熱を放熱する放熱部材と、を備えた電気接続箱であって、前記被固定部材は、前記放熱部材である、電気接続箱とする。
このようにすれば、コイル装置の熱を放熱部材により放熱することができる。
【００１１】
前記コイル装置と、前記コイル装置の熱を放熱する放熱部材と、を備えた電気接続箱であって、前記被固定部材は、前記放熱部材の面に対して前記固定部を所定の高さに固定可能なボス部を有する、電気接続箱とする。
このようにすれば、ボス部により、固定部を放熱部材の面に対して所定の高さに固定することができるため、例えば、コイル装置と放熱部材との間の空間を他の部材のスペースとして利用したり、コイル装置と放熱部材との間の空間により他の発熱部品との間の熱の伝導を抑制することが可能になる。
【発明の効果】
【００１２】
本明細書に記載された技術によれば、コイル装置の損傷による不具合を抑制しつつ、コイル装置を被固定部材に固定することが可能になる。
【図面の簡単な説明】
【００１３】
【図１】実施形態１の電気接続箱のコイル装置を含む部分を示し、他の部分を省略した断面図
【図２】コイル装置を示す斜視図
【図３】コイル装置を示す平面図
【図４】図３のＡ−Ａ断面図
【図５】図３のＢ−Ｂ断面図
【図６】図３のＣ−Ｃ断面図
【図７】コイル装置を示す正面図
【図８】コイル装置を示す左側面図
【図９】コイル装置を示す背面図
【図１０】コイル装置を示す底面図
【図１１】保持部材を示す斜視図
【図１２】保持部材を示す平面図
【図１３】保持部材を示す底面図
【図１４】実施形態２の電気接続箱のコイル装置を含む部分を示し、他の部分を省略した断面図
【図１５】コイル装置を示す斜視図
【図１６】コイル装置を示す平面図
【図１７】図１６のＤ−Ｄ断面図
【図１８】コイル装置を示す正面図
【図１９】コイル装置を示す底面図
【図２０】保持部材を示す斜視図
【図２１】保持部材を示す平面図
【図２２】保持部材を示す底面図
【図２３】実施形態３の電気接続箱のコイル装置を含む部分を示し、他の部分を省略した断面図
【図２４】実施形態４の電気接続箱のコイル装置を含む部分を示し、他の部分を省略した断面図
【発明を実施するための形態】
【００１４】
＜実施形態１＞
実施形態１の電気接続箱１０について、図１〜図１３を参照して説明する。
本実施形態の電気接続箱１０は、例えば、電気自動車やハイブリッド自動車等の車両のバッテリ等の電源と、ランプ、ワイパー等の車載電装品やモータ等からなる負荷との間の電力供給経路に配され、例えばＤＣ−ＤＣコンバータやインバータ等に用いることができる。以下では、Ｘ方向を右方、Ｙ方向を前方、Ｚ方向を上方として説明する。
【００１５】
（電気接続箱１０）
電気接続箱１０は、図１に示すように、コイル装置２０と、コイル装置２０の熱を放熱する放熱部材１１（「被固定部材」の一例）と、放熱部材１１の上方側を覆うカバー１６と、を備えている。
【００１６】
（放熱部材１１）
放熱部材１１は、例えば、アルミニウム、アルミニウム合金等の熱伝導性が高い金属類製であって、コイル装置２０及び図示しない回路体が載置される平坦な載置面１２を有する。載置面１２は、ネジ５５をネジ留め可能な留め部１４を有し、この留め部１４は、ネジ５５の軸部に螺合するネジ孔１３が形成されている。載置面１２のうち、コイル装置２０が配されない他の領域には、回路体が載置される。
【００１７】
回路体は、絶縁材料からなる絶縁板に銅箔からなる導電路がプリント配線技術により形成されたプリント基板と、銅や銅合金等の金属板材を導電路に応じた形状に打ち抜いて形成されたバスバーと、プリント基板及びバスバーに実装される
ＦＥＴ（field effect transistor)等の電子部品とを備える。プリント基板とバスバーは、例えば、接着剤、接着シート等により貼り合わせて構成されている。バスバーの端部側は、コイル２１の端子部２３Ａ，２３Ｂが接続される相手側端子Ｔ（図６参照）とされ、バスバーからクランク状に延びてバスバーとは異なる高さに配されており、円形状の通し孔が貫通形成されている。放熱部材１１の下面側には、図示はしないが、複数の放熱フィンが櫛歯状に並んでいる。なお、放熱部材１１は、金属の上面に図示しない絶縁層が積層されて構成されている。この絶縁層は、例えば接着剤等が硬化したものであり、熱伝導性が高く、絶縁性を有する。
【００１８】
（カバー１６）
カバー１６は、下方側が開口した箱形であって、放熱部材１１に図示しないネジによりネジ留めされて固定されている。
【００１９】
（コイル装置２０）
コイル装置２０は、例えば出力電圧を平滑化するチョークコイルとされ、図２に示すように、コイル２１と、磁性体のコア２５と、コイル２１とコア２５との相対的位置を保持する保持部材４０と、を備える。
【００２０】
（コイル２１）
コイル２１は、いわゆるエッジワイズコイルであって、例えば銅又は銅合金からなり、扁平な矩形状の断面を有する帯状の平角線を、短辺側が内径面及び外径面となるように螺旋状に巻回して形成したものであり、外面には、エナメル等の絶縁被覆が形成されている。このコイル２１は、螺旋状に巻回する巻回部２２と、巻回部２２の始端部及び終端部のそれぞれに連なり、相手側端子Ｔと接続される一対の端子部２３Ａ，２３Ｂとを有する。
【００２１】
一対の端子部２３Ａ，２３Ｂは、共に直線状で互いに平行に配置されており、先端部には、締結部材としてのボルトの軸部が挿通可能な円形状の接続孔２４が貫通形成されている。端子部２３Ａ，２３Ｂは、例えば回路体のバスバー等から延びる相手側端子Ｔに重ねて締結部材としてのボルト（図示しない）の軸部を接続孔２４及び相手側端子Ｔの通し孔に通してナットで締結することで、端子部２３Ａ，２３Ｂと相手側端子Ｔとが接続される。
【００２２】
（コア２５）
コア２５は、フェライト等の高透磁率の磁性体で形成されており、図４に示すように、同形状の一対の分割部材２６を組み合わせて構成されている。各分割部材２６は、円柱状の柱部２７と、円弧状に湾曲した内面を有する側壁部２８と、柱部２７と側壁部２８を連結してコイル２１及び保持部材４０を支持する板状の連結壁部２９と、を備え、これらが一体に形成されている。
【００２３】
上下の分割部材２６の一対の側壁部２８の間は、接着剤３０で接着されている。接着剤３０としては、公知の種々の接着剤を用いることができ、常温で硬化する接着剤や、加熱により硬化する接着剤としてもよい。例えばエポキシ樹脂系の接着剤等を用いることができる。
【００２４】
（保持部材４０）
保持部材４０は、絶縁性を有する合成樹脂製であって、図１１，図１２に示すように、コア２５の柱部２７が挿通される円筒形状の筒状部４１と、側壁部２８が嵌め入れられる左右一対の嵌入部４３と、筒状部４１と一対の嵌入部４３とを連結する板状の連結部４９と、放熱部材１１に固定する固定部５０と、を備えている。筒状部４１は、柱部２７の外径に応じた径の貫通孔４２を有し、柱部２７がわずかな隙間を有して嵌め入れられる。
【００２５】
嵌入部４３は、側壁部２８が嵌め入れられる形状の略角筒状であり、巻回部２２の外周に沿って配される内壁部４４と、内壁部４４の外側に並んで配される外壁部４５と、内壁部４４と外壁部４５の後端部を連結する後壁４６と、内壁部４４と外壁部４５の前端部を連結し、上下に対向する側壁部２８間からはみ出た接着剤３０を受ける受け部４８とを備える。内壁部４４は、後方側が内側に湾曲した形状とされ、コイル２１が内壁部４４の内側に嵌め入れられて位置決めされる。外壁部４５は、前後方向に直線状に延びている。受け部４８は、上下方向に対して底面が傾斜した傾斜部４８Ａを有し、上方側ほど前方に張り出す形状とされている。
【００２６】
嵌入部４３は、一方の分割部材２６を保持部材４０の下側に装着した際に、嵌入部４３の上端部が側壁部２８の上端よりも上方に突出する高さとされており、嵌入部４３の上部側に他方の分割部材２６の側壁部２８の下部が嵌合するようになっている。
【００２７】
外壁部４５の下端部には、放熱部材１１に対して固定する固定部５０が外方に張り出している。固定部５０は、外壁部４５と直交する方向に延びる板状であって、中心部にネジ５５の軸部を挿通可能な円形状の固定孔５１が貫通形成されている。固定部５０の両側には、外壁部４５に連なる一対の板状の補強部５２が形成されている。補強部５２は、外壁部４５の外面から突出しており、固定部５０側の突出寸法が傾斜状に大きくされている。
【００２８】
次に、コイル装置２０の組み付けについて説明する。
コイル２１を保持部材４０の筒状部４１に挿通し、一方の分割部材２６を保持部材４０の下側から保持部材４０に装着する。次に、嵌入部４３内に挿通された状態の側壁部２８の上面に接着剤３０を塗布し、他方の分割部材２６を保持部材４０の上側から保持部材４０に装着する。これにより、他方の分割部材２６の側壁部２８が嵌入部４３に嵌合して上下一対の側壁部２８間が接着剤３０で接着された状態となり、コイル装置２０が形成される。このとき、接着剤３０の塗布量に応じて受け部４８の内側に側壁部２８間の接着剤３０がはみ出るため、受け部４８の接着剤３０の量を視認することで、適正な接着剤３０の塗布量であるか否かを判別することができる。
【００２９】
次に、絶縁性の接着剤等により絶縁層が形成された放熱部材１１の載置面１２に、回路体を装着するとともに、コイル装置２０を載置して放熱部材１１の留め部１４にネジ５５でネジ留めすることでコイル装置２０が放熱部材１１に固定された状態となる（図１）。次に、端子部２３Ａ，２３Ｂと相手側端子Ｔとを締結部材で締結して接続する。これにより、電気接続箱１０が構成される。この電気接続箱１０は、車両において、例えば縦置き（Ｘ方向が上方）に配置される。
【００３０】
本実施形態によれば、以下の作用・効果を奏する。
コイル装置２０は、コイル２１と、磁性体のコア２５と、絶縁性の樹脂からなり、コイル２１とコア２５との相対的位置を保持する保持部材４０と、を備え、保持部材４０は、放熱部材１１（被固定部材）に対して固定する固定部５０を備える。
【００３１】
本実施形態によれば、保持部材４０によりコイル２１とコア２５との相対的位置が保持されるとともに、保持部材４０の固定部５０をコイル装置２０の外部の放熱部材１１に固定することができる。また、保持部材４０は樹脂からなり、金属等と比較してコア２５との摩擦を軽減することができるため、コア２５の表面の損傷による不具合を抑制することができる。よって、コイル装置２０の損傷による不具合を抑制しつつ、コイル装置２０を放熱部材１１に固定することができる。また、保持部材４０に固定部５０が設けられるため、コイル装置２０を固定するために板バネ等の別体の部材を設ける構成と比較して部品点数を削減することができる。
【００３２】
また、コア２５は、互いに対向配置された一対の分割部材２６からなり、各分割部材２６は、コイル２１の内周の内側に挿通される柱部２７と、コイル２１の外周に沿うように配される側壁部２８と、柱部２７と側壁部２８とを連結する連結壁部２９とを備え、保持部材４０は、少なくとも一方の分割部材２６における側壁部２８が嵌め入れられる嵌入部４３を備え、固定部５０は、嵌入部４３と一体的に形成されている。
このようにすれば、嵌入部４３により固定部５０の強度を高めることが可能になる。
【００３３】
また、一対の分割部材２６において対向する側壁部２８間は、接着剤３０で接着されており、嵌入部４３には、側壁部２８間からはみ出た接着剤３０を視認可能に受ける受け部４８が設けられている。
このようにすれば、側壁部２８間からはみ出た接着剤３０を受け部４８が受けることで視認できるため、接着剤３０の塗布量の決定が容易になる。
【００３４】
また、コイル装置２０と、コイル装置２０の熱を放熱する放熱部材１１と、を備えた電気接続箱１０であって、被固定部材は、放熱部材１１である。
このようにすれば、コイル装置２０の熱を放熱部材１１により放熱することができる。
【００３５】
＜実施形態２＞
次に、実施形態２を図１４〜図２２を参照して説明する。実施形態２は、保持部材６２について、実施形態１の嵌入部４３における外壁部４５をなくし、コア２５に対する固定部７０の位置を直交する方向に変えたものである。以下では、実施形態１と同一の構成については同一の符号を付して説明を省略する。
【００３６】
（電気接続箱６０）
電気接続箱６０は、図１４に示すように、コイル装置６１と、コイル装置６１の熱を放熱する放熱部材１１と、放熱部材１１の上方側を覆うカバー１６と、を備えている。
（コイル装置６１）
コイル装置６１は、図１５に示すように、コイル２１と、磁性体のコア２５と、コイル２１とコア２５との相対的位置を保持する保持部材６２と、を備える。保持部材６２は、絶縁性を有する合成樹脂製であって、図２０，図２１に示すように、筒状部４１と、コイル２１と側壁部２８との間を仕切る仕切壁部６４と、筒状部４１と左右の仕切壁部６４との間を連結する板状の連結部４９と、放熱部材１１に固定される固定部７０とを備える。仕切壁部６４は、巻回部２２の外周形状に沿う形状とされ、一対の仕切壁部６４の内側にコイル２１が嵌め入れられて位置決めされる。仕切壁部６４の前後の端部には、外方に板状に張り出す張出部６５，６６が形成されている。仕切壁部６４の外側における張出部６５，６６の内側にコア２５の側壁部２８が嵌め込まれる。
【００３７】
固定部７０は、先端側の幅寸法が小さくされた三角形の板状であって、連結部４９の前方及び後方に連なっており、連結部４９の端部から段差状に異なる高さで延びている。固定部７０の中心部には、ネジ５５の軸部を挿通可能な円形状の固定孔７１が貫通形成されている。前方側の固定部７０（の固定孔７１）は、図１６に示すように、一対の端子部２３Ａ，２３Ｂ側に延びて、一対の端子部２３Ａ，２３Ｂの間の領域に配されている。
【００３８】
次に、コイル装置６１の組み付けについて説明する。
コイル２１を保持部材６２の筒状部４１に挿通し、一方の分割部材２６を保持部材６２の下側に装着し、他方の分割部材２６を保持部材６２の上側に装着する。このとき、側壁部２８の外面を含めたコア２５の外面は、全周に亘って保持部材６２に遮られず、露出した状態となっている。そして、一対の分割部材２６の外側から粘着層が形成されたテープをコア２５の露出した外面の全周に巻き付けると一対の分割部材２６の位置が固定されてコイル装置６１が形成される。
【００３９】
次に、絶縁層が形成された放熱部材１１の載置面１２に、回路体を装着するとともに、コイル装置６１を載置して放熱部材１１にネジ５５でネジ留めすることでコイル装置６１が放熱部材１１に固定された状態となる（図１４）。次に、端子部２３Ａ，２３Ｂと相手側端子Ｔとを締結部材で締結する。これにより、電気接続箱６０が構成される。この電気接続箱６０は、車両において例えば縦置き（Ｘ方向が上方）に配置される。
【００４０】
実施形態２によれば、以下の効果を奏する。
コイル２１は、平角線の短辺側を内径面とするように巻回されたエッジワイズコイルであって、相手側端子Ｔと接続可能な端子部２３Ａ，２３Ｂを有し、固定部７０は、コア２５に対して端子部２３Ａ，２３Ｂが導出される側に設けられている。
【００４１】
このようにすれば、端子部２３Ａ，２３Ｂが導出される側に固定部７０を配置することで、端子部２３Ａ，２３Ｂと固定部７０とを纏めて配置することができるため、放熱部材１１上におけるコイル装置６１が占有する領域を小さくすることができる。
【００４２】
＜実施形態３＞
次に、実施形態３を図２３を参照して説明する。実施形態３の電気接続箱８０は、図２３に示すように、実施形態１のコイル装置２０における固定部５０をボス部８１に固定するものである。以下では、実施形態１と同一の構成については同一の符号を付して説明を省略する。
【００４３】
電気接続箱８０は、コイル装置２０と、コイル装置２０の熱を放熱する放熱部材１１と、放熱部材１１の載置面１２に対して固定部５０を所定の高さに固定可能なボス部８１（「被固定部材」の一例）とを備えている。ボス部８１には、ネジ５５の軸部に螺合するネジ孔８２が形成されている。ボス部８１は、例えば、放熱部材１１とは別体で、絶縁性の合成樹脂からなり、例えば、放熱部材１１に被せる枠状部材と一体に形成することができるが、これに限られず、例えば、放熱部材１１と一体に形成してもよい。
このようにすれば、ボス部８１により、固定部５０を放熱部材１１の載置面１２に対して所定の高さに固定することができるため、例えば、コイル装置２０と放熱部材１１との間の空間を他の部材のスペースとして利用したり、コイル装置２０と放熱部材１１との間の空間により他の発熱部品との間の熱の伝導を抑制することが可能になる。
【００４４】
＜実施形態４＞
次に、実施形態４を図２４を参照して説明する。実施形態４の電気接続箱９０は、図２４に示すように、実施形態２の固定部７０をボス部８１に固定するものである。他の構成は実施形態２，３と同一であるため、実施形態２，３と同一の構成については同一の符号を付して説明を省略する。
【００４５】
＜他の実施形態＞
本明細書に記載された技術は、上記記述及び図面によって説明した実施形態に限定されるものではなく、例えば次のような実施形態も本発明の技術的範囲に含まれる。
（１）上記実施形態では、コイル装置２０は、車両のＤＣ／ＤＣコンバータ等に用いられることとしたが、これに限られず、他の機器等に使用されるコイル装置としてもよい。
【００４６】
（２）ネジ５５は、放熱部材１１やボス部８１を直接ネジ留めする構成としたが、これに限られない。例えば、放熱部材１１やボス部８１に保持されたナットにネジ留めする構成としてもよい。
【００４７】
（３）コイル２１の巻回部２２における隣り合うターン部間を仕切る仕切り板（例えば螺旋状）を保持部材４０，６２に設けてもよい。
【符号の説明】
【００４８】
１０，６０，８０，９０：  電気接続箱
１１：  放熱部材
１２：  載置面
１３：  ネジ孔
１４：  留め部
２０，６１：  コイル装置
２１：  コイル
２３Ａ，２３Ｂ：  端子部
２５：  コア
２６：  分割部材
２７：  柱部
２８：  側壁部
２９：  連結壁部
３０：  接着剤
４０，６２：  保持部材
４３：  嵌入部
４８：  受け部
５０，７０：  固定部
５１，７１：  固定孔
５５：  ネジ
８１：  ボス部
【図１】
2017123415.tif 000003
【図２】
2017123415.tif 000004
【図３】
2017123415.tif 000005
【図４】
2017123415.tif 000006
【図５】
2017123415.tif 000007
【図６】
2017123415.tif 000008
【図７】
2017123415.tif 000009
【図８】
2017123415.tif 000010
【図９】
2017123415.tif 000011
【図１０】
2017123415.tif 000012
【図１１】
2017123415.tif 000013
【図１２】
2017123415.tif 000014
【図１３】
2017123415.tif 000015
【図１４】
2017123415.tif 000016
【図１５】
2017123415.tif 000017
【図１６】
2017123415.tif 000018
【図１７】
2017123415.tif 000019
【図１８】
2017123415.tif 000020
【図１９】
2017123415.tif 000021
【図２０】
2017123415.tif 000022
【図２１】
2017123415.tif 000023
【図２２】
2017123415.tif 000024
【図２３】
2017123415.tif 000025
【図２４】
2017123415.tif 000026